(57)【要約】【課題】保持用の部材を設けることなく、それ自体で蓋体付き容器に保持させることができ、しかも、その保持が簡単な動作で行うことができ、また、適当な場所に載置する場合に、作用部を載置面と非接触状態にすることができる取り出し用具およびそれを用いた組合せ容器を提供する。【解決手段】スパチュラ（取り出し用具）１は、容器２ａ内の内容物を付着させるへら部１ａと、柄部１ｂと、その両者の間で突出する支持部１ｃとを備えている。スパチュラ１は、支持部１ｃを蓋体２ｂの頂面に当接させるとともに、柄部１ｂを容器２ａの側面に当接させて、蓋体付き容器２１に着脱自在に保持される（組合せ容器）。また、スパチュラ１は、支持部１ｃがスパチュラ１の全体の重心よりもへら部１ａ側の位置にあり、テーブルＴ等に支持部１ｃの先端部と柄部１ｂの後端部を当接させて、へら部１ａを載置面から浮かせた状態でスパチュラ１を載置することができる。【選択図】図３
2019170903.tif 000002
【特許請求の範囲】
【請求項１】
蓋体付き容器に収容された内容物を取り出すために縦長に形成され、上記内容物を取り出すために一端側に設けられる作用部と、他端側に設けられる柄部と、中央寄りの位置において側方に突出する支持部とを備えた取り出し用具であって、上記支持部が、取り出し用具全体の重心よりも上記作用部側の位置に形成されており、上記支持部が上記蓋体の頂面に当接し、上記柄部が上記容器の側面に当接した状態で、上記蓋体付き容器に着脱自在に保持されるようになっていることを特徴とする取り出し用具。
【請求項２】
上記支持部の側方への突出が、上記柄部の長手方向に対して直角ないし上記柄部側に向う突出である請求項１記載の取り出し用具。
【請求項３】
上記柄部の少なくとも一部が、上記支持部の突出する側と反対側に湾曲している請求項１または２記載の取り出し用具。
【請求項４】
内容物を収容する蓋体付き容器と、上記内容物を上記容器から取り出すための上記請求項１〜３のいずれか一項に記載の取り出し用具とを備えた組合せ容器であって、上記蓋体の頂面に、上記取り出し用具の支持部が当接し、上記容器の側面に、上記取り出し用具の柄部が当接した状態で、上記取り出し用具が、上記蓋体付き容器に着脱自在に保持されるようになっていることを特徴とする組合せ容器。
【請求項５】
上記蓋体の頂面の周縁部の少なくとも一部に、凸部が形成され、その凸部に上記取り出し用具の支持部が係止されるようになっている請求項４記載の組合せ容器。
【請求項６】
上記蓋体の頂面の、上記取り出し用具の支持部が当接する位置に、凹部が形成され、その凹部に上記取り出し用具の支持部が係止されるようになっている請求項４または５記載の組合せ容器。
【発明の詳細な説明】
【技術分野】
【０００１】
本発明は、蓋体付き容器に収容されている内容物を取り出すための取り出し用具およびそれを用いた組合せ容器に関するものである。
【背景技術】
【０００２】
一般に、クリーム状の化粧料は、ジャー容器と呼ばれる蓋体付き容器に収容されて、その化粧料（内容物）を上記容器から取り出すための取り出し用具（スパチュラ等）とともに包装箱に収容された状態で販売されている。
【０００３】
そして、それを購入して使用する際、上記容器に収容されている化粧料を、上記取り出し用具を用いて取り出し、手等に移した後は、通常、その取り出し用具を周りの適当な場所に載置する。ところが、その取り出し用具の先端側の作用部（スパチュラのへら部等）には化粧料が付着しているため、その付着した化粧料を拭き取らなければ、上記取り出し用具を載置した場所が汚れ、しかもその取り出し用具が不衛生になる。
【０００４】
そこで、化粧料が付着した状態の取り出し用具を保持できるようにしたものが提案されている。例えば、上記蓋体付き容器の下端部を嵌める凹部と、上記取り出し用具の柄部を差し込む貫通孔とを備えた台座が提案されている（特許文献１の図１９，図２０参照）。また、蓋体付き容器の胴体回り等に取り付けられ、上記取り出し用具の柄部を差し込む貫通孔を備えた環状体が提案されている（特許文献１の図１，図２参照）。いずれも、化粧料が付着した取り出し用具の柄部を、上記貫通孔に差し込み、取り出し用具を立てた状態で保持することができるようになっている。
【先行技術文献】
【特許文献】
【０００５】
【特許文献１】特開２００４−２０１９７０号公報
【発明の概要】
【発明が解決しようとする課題】
【０００６】
しかしながら、上記従来のものは、取り出し用具を保持するために、台座または環状体が必要となっている。しかも、保持された取り出し用具がぐらつかないようにするために、取り出し用具の柄部を差し込む貫通孔の大きさが、取り出し用具の柄部の横断面の大きさに対し少し大きい程度になっており、取り出し用具の柄部を上記貫通孔に差し込むことがスムーズにできにくくなっている。また、上記取り出し用具を適当な場所に載置すると、その取り出し用具の作用部が、従来どおり、載置面に接触してしまう。
【０００７】
本発明は、このような事情に鑑みなされたもので、保持用の部材を設けることなく、それ自体で蓋体付き容器に保持させることができ、しかも、その保持を簡単な動作で行うことができ、また、適当な場所に載置する場合に、作用部を載置面と非接触状態にすることができる取り出し用具およびそれを用いた組合せ容器の提供をその目的とする。
【課題を解決するための手段】
【０００８】
上記の目的を達成するため、本発明は、蓋体付き容器に収容された内容物を取り出すために縦長に形成され、上記内容物を取り出すために一端側に設けられる作用部と、他端側に設けられる柄部と、中央寄りの位置において側方に突出する支持部とを備えた取り出し用具であって、上記支持部が、取り出し用具全体の重心よりも上記作用部側の位置に形成されており、上記支持部が上記蓋体の頂面に当接し、上記柄部が上記容器の側面に当接した状態で、上記蓋体付き容器に着脱自在に保持されるようになっている取り出し用具を第１の要旨とする。
【０００９】
特に、上記支持部の側方への突出が、上記柄部の長手方向に対して直角ないし上記柄部側に向う突出である取り出し用具を第２の要旨とする。また、上記柄部の少なくとも一部が、上記支持部の突出する側と反対側に湾曲している取り出し用具を第３の要旨とする。
【００１０】
そして、本発明は、内容物を収容する蓋体付き容器と、上記内容物を上記容器から取り出すための上記第１〜第３の要旨の取り出し用具とを備えた組合せ容器であって、上記蓋体の頂面に、上記取り出し用具の支持部が当接し、上記容器の側面に、上記取り出し用具の柄部が当接した状態で、上記取り出し用具が、上記蓋体付き容器に着脱自在に保持されるようになっている組合せ容器を第４の要旨とする。
【００１１】
特に、上記蓋体の頂面の周縁部の少なくとも一部に、凸部が形成され、その凸部に上記取り出し用具の支持部が係止されるようになっている組合せ容器を第５の要旨とする。また、上記蓋体の頂面の、上記取り出し用具の支持部が当接する位置に、凹部が形成され、その凹部に上記取り出し用具の支持部が係止されるようになっている組合せ容器を第６の要旨とする。
【発明の効果】
【００１２】
本発明の取り出し用具は、蓋体付き容器に収容された内容物を取り出すために縦長に形成されており、一端側に、上記内容物を取り出すための作用部が設けられ、他端側に、柄部が設けられている。そして、その長手方向の中央寄りの位置において、支持部が側方に突出している。そのため、本発明の取り出し用具は、上記支持部を上記蓋体の頂面に当接させ、上記柄部を上記容器の側面に当接させた状態で、上記蓋体付き容器に着脱自在に保持させることができるようになっている。そして、この保持状態では、上記作用部を上記蓋体付き容器に対し非接触状態にすることができる。すなわち、上記作用部に上記内容物が付着した状態であっても、上記のように蓋体付き容器に保持させることにより、その蓋体付き容器を上記内容物で汚さないようにすることができ、衛生的である。
【００１３】
また、本発明の取り出し用具は、上記支持部が、取り出し用具全体の重心よりも上記作用部側の位置に形成されている。そのため、本発明の取り出し用具は、テーブル等に上記支持部と上記柄部とを当接させて載置することにより、上記作用部を載置面から浮かせた状態（非接触状態）にすることができる。すなわち、上記作用部に上記内容物が付着した状態であっても、上記のようにテーブル等に載置することにより、その載置面を上記内容物で汚さないようにすることができ、衛生的である。
【００１４】
なお、上記作用部に内容物が付着していない状態では、支持部が取り出し用具全体の重心よりも柄部側の位置にあっても、上記のように、作用部を載置面から浮かせた状態（非接触状態）で載置できる場合もあるが、本発明の取り出し用具は、作用部に上記内容物が付着した状態で載置することを前提としているため、支持部を、取り出し用具の重心よりも作用部側の位置に設定している。
【００１５】
特に、上記支持部の側方への突出が、上記柄部の長手方向に対して直角ないし上記柄部側に向う突出である場合には、本発明の取り出し用具を上記蓋体付き容器に保持させる際に、上記支持部が蓋体の頂面からずれ落ちにくくなるため、その保持をより安定にすることができる。
【００１６】
また、上記柄部の少なくとも一部が、上記支持部の形成側と逆側に湾曲している場合には、その柄部の湾曲部分が、本発明の取り出し用具を蓋体付き容器に保持している状態では、その蓋体付き容器の周側表面から大きく突出した状態にすることができ、また、テーブル等に載置している状態では、その載置面から大きく突出した状態にすることができる。そのため、上記湾曲部分を、手の指で挟持しやすくすることができ、本発明の取り出し用具の取り扱いを容易にすることができる。
【００１７】
そして、本発明の組合せ容器は、内容物を収容する蓋体付き容器に、本発明の上記取り出し用具を組合せたものである。そして、上記蓋体の頂面に、上記取り出し用具の支持部を当接させ、上記容器の側面に、上記取り出し用具の柄部を当接させた状態で、上記取り出し用具を、上記蓋体付き容器に着脱自在に保持することができるようになっている。そのため、上記蓋体付き容器に上記取り出し用具を保持するための部材を設ける必要がなく、その取り出し用具を保持する際に、その取り出し用具の柄部を貫通孔に差し込む等の煩わしい動作も不要である。
【００１８】
特に、上記蓋体の頂面の周縁部の少なくとも一部に、凸部が形成され、その凸部に上記取り出し用具の支持部が係止されるようになっている場合には、上記支持部が、蓋体の頂面からずれ落ちにくくなっているため、上記取り出し用具の保持をより安定にすることができる。
【００１９】
また、上記蓋体の頂面の、上記取り出し用具の支持部が当接する位置に、凹部が形成され、その凹部に上記取り出し用具の支持部が係止されるようになっている場合にも、上記支持部が、蓋体の頂面からずれ落ちにくくなっているため、上記取り出し用具の保持をより安定にすることができる。
【図面の簡単な説明】
【００２０】
【図１】本発明の取り出し用具の第１の実施の形態を示す斜視図である。
【図２】上記取り出し用具を示し、（ａ）はその平面図、（ｂ）はその側面図である。
【図３】上記取り出し用具を用いた本発明の組合せ容器の第１の実施の形態を示す斜視図である。
【図４】上記組合せ容器を示す側面図である。
【図５】上記取り出し用具の使用方法を示す側面図である。
【図６】本発明の組合せ容器の第２の実施の形態を示す斜視図である。
【図７】本発明の組合せ容器の第３の実施の形態における蓋体付き容器を示す斜視図である。
【図８】本発明の組合せ容器の第４の実施の形態における蓋体付き容器の蓋体の頂面部分を示す斜視図である。
【図９】本発明の組合せ容器の第５の実施の形態における蓋体付き容器の蓋体の頂面部分を示す斜視図である。
【図１０】本発明の組合せ容器の第６の実施の形態における蓋体付き容器の蓋体の頂面部分を示す斜視図である。
【図１１】（ａ）は、本発明の取り出し用具の第２の実施の形態を示す側面図であり、（ｂ）は、その取り出し用具を用いた本発明の組合せ容器の第８の実施の形態を示す側面図である。
【図１２】（ａ）は、本発明の取り出し用具の第３の実施の形態を示す側面図であり、（ｂ）は、その取り出し用具を用いた本発明の組合せ容器の第９の実施の形態を示す側面図である。
【発明を実施するための形態】
【００２１】
つぎに、本発明の実施の形態を図面にもとづいて詳しく説明する。ただし、本発明は、この実施の形態に限定されるものではない。
【００２２】
図１は、本発明の取り出し用具の第１の実施の形態を示す斜視図であり、図２（ａ）は、その平面図、図２（ｂ）は、その側面図である。また、図３は、その取り出し用具を用いた本発明の組合せ容器の第１の実施の形態を示す斜視図であり、図４は、その側面図である。この実施の形態の取り出し用具は、図１および図２（ａ），（ｂ）に示すような形状のスパチュラ１である。そして、この実施の形態の組合せ容器は、図３および図４に示すように、クリーム状の化粧料（内容物）を収容する蓋体付き容器２１に、上記スパチュラ１を組合せたものであり、上記蓋体付き容器２１に上記スパチュラ１が着脱自在に保持されるようになっている。
【００２３】
より詳しく説明すると、上記蓋体付き容器２１は、図３および図４に示すように、一般的に販売されているものであり、化粧料を収容する広口タイプの容器２ａと、その容器２ａの天部開口を蓋する蓋体２ｂとからなっている。上記蓋体２ｂの頂面は、平面状ないし中心部に向って僅かに盛り上がったドーム状に形成されている。なお、図３および図４では、蓋体２ｂの頂面を平面状に図示している。
【００２４】
上記スパチュラ１は、図１および図２（ａ），（ｂ）に示すように、上記蓋体付き容器２１（図３，図４参照）に収容された化粧料を取り出すためのものであり、縦長の板状に形成されている。そのスパチュラ１の一端側は、上記化粧料をすくい取るへら部（作用部）１ａであり、化粧料をすくいやすくするために湾曲して形成されている。上記スパチュラ１の他端側は、柄部１ｂであり、上記へら部１ａから連続する部分（柄部１ｂの一端側部分）が、上記へら部１ａと逆方向に湾曲している。そして、それら連続する湾曲部分の長手方向中央付近から、平板状の支持部１ｃが、上記へら部１ａの湾曲方向より少し上記柄部１ｂ側に向って（長手方向に対して側方に）突出している。
【００２５】
そして、上記スパチュラ１は、図３および図４に示すように、上記支持部１ｃの先端部を上記蓋体２ｂの頂面に当接させるとともに、上記柄部１ｂの他端側部分の片面（上記支持部１ｃが突出している側に対応する面）を上記容器２ａの側面に当接させることにより、上記蓋体付き容器２１に保持させることができる。そして、この保持状態では、上記へら部１ａを上記蓋体付き容器２１に対し非接触状態にすることができる。すなわち、上記へら部１ａに化粧料が付着した状態であっても、上記のように蓋体付き容器２１に保持することにより、その蓋体付き容器２１を化粧料で汚さないようにすることができ、衛生的である。
【００２６】
さらに、上記保持状態では、上記柄部１ｂの湾曲部分（柄部１ｂの一端側部分）が、上記蓋体付き容器２１の周側表面から大きく突出した状態になっている。そのため、その柄部１ｂの湾曲部分が、手の指で挟持しやすくなっている。そして、その湾曲部分を手の指で挟持して上方向ないし横方向にずらすだけで、上記スパチュラ１を上記蓋体付き容器２１から簡単に外すことができる。
【００２７】
また、上記支持部１ｃは、上記スパチュラ１の全体の重心よりも上記へら部１ａ側の位置に形成されている。そのため、図５に側面図で示すように、上記蓋体付き容器２１から外したスパチュラ１をテーブルＴ等に載置する際に、上記支持部１ｃの先端部と上記柄部１ｂの後端部（他端部）とを載置面に当接させると、上記へら部１ａを載置面から浮かせた状態（非接触状態）で載置することができる。すなわち、上記へら部１ａに化粧料が付着した状態であっても、上記のようにテーブルＴ等に載置することにより、その載置面を化粧料で汚さないようにすることができ、衛生的である。
【００２８】
さらに、上記載置状態では、上記柄部１ｂの湾曲部分（柄部１ｂの一端側部分）が、上記載置面から大きく突出した状態になっている。そのため、その柄部１ｂの湾曲部分が、手の指で挟持しやすくなっている。そして、その湾曲部分を手の指で挟持して、上記スパチュラ１を上記蓋体付き容器２１に支持させることが容易にできる。
【００２９】
なお、上記スパチュラ１を蓋体付き容器２１に保持させることを考慮すると（図３，図４参照）、蓋体２ｂの頂面において支持部１ｃが滑りにくくなるようにすることが好ましい。そのような手段として、例えば、上記蓋体２ｂの頂面を粗面に形成する方法、その蓋体２ｂの頂面に当接する支持部１ｃの先端部に、摩擦抵抗が大きいゴム等を取り付ける方法等があげられる。
【００３０】
また、上記スパチュラ１をテーブルＴ等に載置する際に、へら部１ａを載置面に対し非接触状態にすることを考慮すると、スパチュラ１の全体の重心は、後方（柄部１ｂの他端側）にあることが好ましい。そのような手段として、上記スパチュラ１を１種類の形成材料で作製する場合は、例えば、柄部１ｂの厚みをへら部１ａの厚みよりも厚く形成する方法（この第１の実施の形態の方法）、柄部１ｂの幅をへら部１ａの幅よりも大きく形成する方法等があげられる。その形成材料としては、例えば、合成樹脂，エラストマー，金属等があげられる。また、上記スパチュラ１を複数の形成材料で作製する場合は、例えば、スパチュラ本体を１種類の合成樹脂で作製し、そのスパチュラ本体の柄部１ｂの後方部（他端側）に、比重の大きいゴムや金属等を取り付けるようにして、スパチュラ１を作製する方法等があげられる。
【００３１】
上記スパチュラ１の寸法は、例えば、高さ５０ｍｍの蓋体付き容器２１に保持させる場合には、全長が７０〜７５ｍｍ程度、幅が７〜１０ｍｍ程度、へら部１ａの先端から支持部１ｃの先端までの長手方向の距離が２３〜２６ｍｍ程度、支持部１ｃの突出長さが７〜８ｍｍ程度に設定される。さらに、その支持部１ｃの突出方向は、スパチュラ１を蓋体付き容器２１に保持させた状態で、水平方向から下方に２０°程度、柄部１ｂおよび支持部１ｃの厚みは２ｍｍ程度、へら部１ａの厚みは柄部１ｂの厚みから先端に向って徐々に薄くして１ｍｍ程度、へら部１ａの湾曲の曲率半径は３５〜３７ｍｍ程度、柄部１ｂの湾曲部分の曲率半径は１３〜１７ｍｍ程度に設定される。
【００３２】
図６は、本発明の組合せ容器の第２の実施の形態を示す斜視図である。この組合せ容器における蓋体付き容器２２は、蓋体２ｃの頂面の周縁部の一部に、スパチュラ１の支持部１ｃを係止させる凸部Ａが形成されている。この凸部Ａは、この実施の形態では、平面視略Ｕ字状に盛り上がって形成され、その略Ｕ字の開放側が蓋体２ｃの頂面の中心に向いている。上記蓋体２ｃは、上記凸部Ａと一体的であってよいし、その凸部Ａのみを別体に形成し、上記第１の実施の形態における蓋体２ｂ（図３および図４参照）の頂面に接着してもよい。それ以外の部分は上記第１の実施の形態と同様であり、同様の部分には同じ符号を付している。
【００３３】
この第２の実施の形態におけるスパチュラ１の保持は、スパチュラ１の平板状の支持部１ｃの片面（図６では下側の面）を上記凸部（略Ｕ字の奥側）Ａに当接させて、上記支持部１ｃをその凸部Ａに係止させるとともに、上記スパチュラ１の柄部１ｂの他端側部分の片面を上記容器２ａの側面に当接させることによりなされる。すなわち、この保持状態では、上記凸部Ａにより、上記支持部１ｃが、蓋体２ｃの頂面からずれ落ちにくくなっている。そのため、上記スパチュラ１をより安定させた状態で保持することができる。
【００３４】
図７は、本発明の組合せ容器の第３の実施の形態における蓋体付き容器２３を示す斜視図である。この蓋体付き容器２３は、図６に示す上記第２の実施の形態のような、支持部１ｃを係止する凸部Ｂが、蓋体２ｄの頂面の周縁部の全周にわたって連続して形成され、環状の凸条になっている。それ以外の部分は上記第２の実施の形態と同様であり、同様の部分には同じ符号を付している。
【００３５】
この第３の実施の形態では、上記第２の実施の形態（図６参照）と同様にして、スパチュラ１を蓋体付き容器２３に保持させることができる。そして、支持部１ｃを係止する凸部Ｂが、蓋体２ｄの頂面の周縁部の全周にわたって形成されているため、蓋体付き容器２３の周方向のいずれの位置にも、スパチュラ１を保持させることができる。
【００３６】
図８は、本発明の組合せ容器の第４の実施の形態における蓋体付き容器２４の蓋体２ｅの頂面部分を示す斜視図である。この蓋体付き容器２４は、蓋体２ｅの頂面の、上記スパチュラ１の支持部１ｃ（図３参照）の先端部が当接する位置に、その支持部１ｃの先端部を挿入させる凹部Ｃが形成されている。この凹部Ｃは、上記支持部１ｃの先端部の形状に合わせて形成され、その凹部Ｃの開口が長方形になっている。それ以外の部分は上記第１の実施の形態と同様であり、同様の部分には同じ符号を付している。
【００３７】
この第４の実施の形態におけるスパチュラ１の保持は、スパチュラ１の平板状の支持部１ｃの先端部を上記凹部Ｃに挿入させて、上記支持部１ｃをその凹部Ｃに係止させるとともに、上記スパチュラ１の柄部１ｂの他端側部分の片面を上記容器２ａの側面に当接させることによりなされる。すなわち、この保持状態では、上記凹部Ｃにより、上記支持部１ｃが、蓋体２ｅの頂面からずれ落ちにくくなっている。そのため、上記スパチュラ１をより安定させた状態で保持することができる。
【００３８】
図９は、本発明の組合せ容器の第５の実施の形態における蓋体付き容器２５の蓋体２ｆの頂面部分を示す斜視図である。この蓋体付き容器２５は、図８に示す上記第４の実施の形態のような、支持部１ｃ（図３参照）の先端部を挿入する凹部Ｄが、蓋体２ｆの頂面の全周にわたって連続して形成され、環状の溝になっている。それ以外の部分は上記第４の実施の形態と同様であり、同様の部分には同じ符号を付している。
【００３９】
この第５の実施の形態では、上記第４の実施の形態（図８参照）と同様にして、スパチュラ１を蓋体付き容器２５に保持させることができる。そして、支持部１ｃの先端部を挿入する凹部Ｄが、蓋体２ｆの頂面の全周にわたって形成されているため、蓋体付き容器２５の周方向のいずれの位置にも、スパチュラ１を保持させることができる。
【００４０】
図１０は、本発明の組合せ容器の第６の実施の形態における蓋体付き容器２６の蓋体２ｇの頂面部分を示す斜視図である。この蓋体付き容器２６は、蓋体２ｇの頂面の周縁部の一部に、上記スパチュラ１の支持部１ｃ（図３参照）を係止する凸部Ｅが形成されているとともに、その支持部１ｃの先端部が当接する位置に、その支持部１ｃの先端部を挿入する凹部Ｆが形成されている。すなわち、この実施の形態は、図６に示す上記第２の実施の形態と、図８に示す上記第４の実施の形態とを組合せたような形態となっている。この実施の形態では、上記凸部Ｅは、蓋体２ｇの頂面の周縁部の一部が、せり上がって形成されており、上記凹部Ｆは、上記凸部Ｅのせり上がりの下端縁に、上記第４の実施の形態（図８参照）と同様に形成されている。それ以外の部分は上記第１の実施の形態と同様であり、同様の部分には同じ符号を付している。
【００４１】
この第６の実施の形態におけるスパチュラ１の保持は、スパチュラ１の平板状の支持部１ｃの片面を上記凸部Ｅに当接させて、上記支持部１ｃをその凸部Ｅに係止させ、さらに、その支持部１ｃの先端部を上記凹部Ｆに挿入させて、上記支持部１ｃをその凹部Ｆに係止させるとともに、上記スパチュラ１の柄部１ｂの他端側部分の片面を上記容器２ａの側面に当接させることによりなされる。すなわち、この保持状態では、上記凸部Ｅと凹部Ｆとにより、上記支持部１ｃが、蓋体２ｇの頂面からより一層ずれ落ちにくくなっている。そのため、上記スパチュラ１をより一層安定化した状態で保持させることができる。
【００４２】
図示しないが、本発明の組合せ容器の第７の実施の形態における蓋体付き容器は、図１０に示す第６の実施の形態の凸部Ｅと凹部Ｆとが、蓋体の頂面の全周にわたって形成されている。すなわち、この第７の実施の形態は、図７に示す上記第３の実施の形態（環状の凸条）と図９に示す上記第５の実施の形態（環状の溝）とを組合せたような形態となっている。それ以外の部分は上記第６の実施の形態と同様である。
【００４３】
この第７の実施の形態では、上記第６の実施の形態（図１０参照）と同様にして、スパチュラを蓋体付き容器に保持させることができる。そして、支持部を係止する凸部と凹部とが、蓋体の頂面の全周にわたって形成されているため、蓋体付き容器の周方向のいずれの位置にも、スパチュラを保持させることができる。
【００４４】
図１１（ａ）は、本発明の取り出し用具の第２の実施の形態を示す側面図であり、図１１（ｂ）は、その取り出し用具を用いた本発明の組合せ容器の第８の実施の形態を示す側面図である。この実施の形態の取り出し用具は、図１および図２（ａ），（ｂ）に示す第１の実施の形態のスパチュラ１において、柄部１ｂの一端側部分が湾曲していないスパチュラ３であり、柄部３ｂの全体が平板状に形成されている。なお、へら部（作用部）３ａは、上記第１の実施の形態と同様に湾曲している。それ以外の部分は上記第１の実施の形態と同様であり、同様の部分には同じ符号を付している。
【００４５】
上記スパチュラ３の保持は、上記第１の実施の形態と同様にしてなされ（図４参照）、上記支持部３ｃの先端部を上記蓋体２ｂの頂面に当接させるとともに、上記スパチュラ３の柄部３ｂの片面の全体を上記容器２ａの側面に当接させることによりなされる。
【００４６】
また、上記スパチュラ３の、テーブルＴ等への載置も、上記第１の実施の形態と同様にしてなされ（図５参照）、テーブルＴ等に上記支持部３ｃの先端部と上記柄部３ｂの後端部（他端部）を当接させることによりなされる。
【００４７】
そして、上記スパチュラ３は、柄部３ｂの全体が平板状に形成されているため、シンプルな構造とすることができ、全体を薄型化することができる。
【００４８】
図１２（ａ）は、本発明の取り出し用具の第３の実施の形態を示す側面図であり、図１２（ｂ）は、その取り出し用具を用いた本発明の組合せ容器の第９の実施の形態を示す側面図である。この実施の形態の取り出し用具は、平板状の支持部４ｃが柄部４ｂの長手方向に対して直角に突出しているスパチュラ４であり、それ以外のスパチュラ部分は、図１１（ａ）に示す第２の実施の形態のスパチュラ３と同様である〔へら部（作用部）４ａは、上記第２の実施の形態のスパチュラ３と同様に湾曲している〕。また、この実施の形態の組合せ容器は、図１２（ｂ）に示すように、上記スパチュラ４を用いること以外、図１１（ｂ）に示す第８の実施の形態の組合せ容器と同様であり、同様の部分には同じ符号を付している。
【００４９】
上記スパチュラ４の保持は、スパチュラ４の平板状の支持部４ｃの片面〔図１２（ｂ）では下側の面〕の全体を蓋体付き容器２１の蓋体２ｂの頂面の周縁部の一部に当接させるとともに、上記スパチュラ４の柄部４ｂの片面の全体を上記容器２ａの側面に当接させることによりなされる。
【００５０】
また、上記スパチュラ４の、テーブルＴ等への載置は、上記第１の実施の形態と同様にしてなされ（図５参照）、テーブルＴ等に上記支持部４ｃの先端部と上記柄部４ｂの後端部（他端部）を当接させることによりなされる。
【００５１】
そして、上記スパチュラ４も、図１１（ａ）に示す第２の実施の形態のスパチュラ３と同様、柄部３ｂの全体が平板状に形成されているため、シンプルな構造とすることができ、全体を薄型化することができる。
【００５２】
なお、上記各実施の形態では、スパチュラ１，３，４のへら部１ａ，３ａ，４ａを、化粧料をすくいやすくするために湾曲させて形成しているが、平板状にしてもよい。
【００５３】
また、上記第１の実施の形態のスパチュラ１および第２〜第７の実施の形態の組合せ容器に用いるスパチュラ１では、柄部１ｂの一部（一端側部分）を湾曲させて形成しているが、柄部１ｂの全部を湾曲させて形成してもよい。
【００５４】
そして、上記各実施の形態では、蓋体付き容器２１〜２６に収容した化粧料（内容物）をクリーム状としたが、その化粧料の状態は他でもよく、例えば、粉状，粒状等でもよい。それに合わせて、上記各実施の形態のスパチュラ（取り出し用具）１，３，４を、化粧筆，化粧用チップ等としてもよい。
【００５５】
さらに、上記各実施の形態では、蓋体付き容器２１〜２６に収容した内容物を化粧料としたが、他でもよく、例えば、薬品，食品等でもよい。そして、その内容物の種類や状態に合わせて、上記各実施の形態のスパチュラ（取り出し用具）１，３の作用部１ａ，３ａ，４ａや柄部１ｂ，３ｂ，４ｂの形状を変化させて、計量用スプーン，小カップ等としてもよい。
【産業上の利用可能性】
【００５６】
本発明の取り出し用具およびそれを用いた組合せ容器は、保持用の部材を設けることなく、それ自体で蓋体付き容器に保持させることができ、しかも、その保持を簡単な動作で行うことができる取り出し用具およびそれを用いた組合せ容器に利用可能である。
【符号の説明】
【００５７】
１  スパチュラ
１ａ  へら部
１ｂ  柄部
１ｃ  支持部
２ａ  容器
２ｂ  蓋体
２１  蓋体付き容器
【図１】
2019170903.tif 000003
【図２】
2019170903.tif 000004
【図３】
2019170903.tif 000005
【図４】
2019170903.tif 000006
【図５】
2019170903.tif 000007
【図６】
2019170903.tif 000008
【図７】
2019170903.tif 000009
【図８】
2019170903.tif 000010
【図９】
2019170903.tif 000011
【図１０】
2019170903.tif 000012
【図１１】
2019170903.tif 000013
【図１２】
2019170903.tif 000014